(57)【要約】【課題】  ソケットを用いることなくＬＥＤランプを器具本体に取り付けることが可能なＬＥＤ照明装置を提供すること。【解決手段】  ＬＥＤ２２を有し、ｘ方向に長く延びるＬＥＤランプ２と、ＬＥＤランプ２が取り付けられた器具本体１と、を備えるＬＥＤ照明装置Ａ１であって、器具本体１は、給電に用いられる器具側コネクタ２８２を有し、ＬＥＤランプ２は、ｘ方向両端の間に設定された第１ランプ側係合部（係合孔３３１）と、ＬＥＤ２２に電力供給するためのランプ側コネクタ２８１とを有し、第１ランプ側係合部（係合孔３３１）に係合し、且つ器具本体１に固定される、第１保持手段６を備え、ランプ側コネクタ２８１と器具側コネクタ２８２とが接続されている。【選択図】  図２
2020205138.tif 000002
【特許請求の範囲】
【請求項１】
ＬＥＤを有し、第１方向に長く延びるＬＥＤランプと、
前記ＬＥＤランプが取り付けられた器具本体と、
を備えるＬＥＤ照明装置であって、
前記器具本体は、給電に用いられる器具側コネクタを有し、
前記ＬＥＤランプは、前記第１方向両端の間に設定された第１ランプ側係合部と、前記ＬＥＤに電力供給するためのランプ側コネクタとを有し、
前記第１ランプ側係合部に係合し、且つ前記器具本体に固定される、第１保持手段を備え、
前記ランプ側コネクタと前記器具側コネクタとが接続されている、ＬＥＤ照明装置。
【請求項２】
前記第１保持手段は、
前記第１ランプ側係合部と係合する第１保持係合部と、
前記第１保持係合部から前記第１方向と直角である第２方向に延出する第１固定部と、
前記第１固定部から前記第２方向に前記第１保持係合部とは反対側に延出する第２固定部と、
前記第１固定部と前記第２固定部とを区画する第１切断予定部と、
を有する、請求項１に記載のＬＥＤ照明装置。
【請求項３】
前記第１保持手段に対して前記第１方向における前記ＬＥＤランプの端部側に配置され、磁力を利用して前記ＬＥＤランプを前記器具本体に固定する、磁力固定部を備える、請求項１または２に記載のＬＥＤ照明装置。
【請求項４】
前記ＬＥＤランプは、前記第１方向に延びる溝部を有し、
前記磁力固定部は、前記溝部に係合する爪部を有する、請求項３に記載のＬＥＤ照明装置。
【請求項５】
前記ＬＥＤランプは、前記第１ランプ側係合部よりも前記第１方向両端側に設定された第２ランプ側係合部を有し、
前記第２ランプ側係合部に係合し、且つ前記器具本体に固定される、第２保持手段を備える、請求項１ないし４のいずれかに記載のＬＥＤ照明装置。
【請求項６】
前記第２保持手段は、前記第２ランプ側係合部に係合する突起部を含む第２保持係合部を有する、請求項５に記載のＬＥＤ照明装置。
【請求項７】
前記第２保持手段は、
第３固定部と、前記第３固定部に対して前記第１方向外方に配置された第４固定部と、前記第３固定部と前記第４固定部とを区画する第２切断予定部と、を有する、請求項５または６に記載のＬＥＤ照明装置。
【発明の詳細な説明】
【技術分野】
【０００１】
本発明は、ＬＥＤ照明装置に関する。
【背景技術】
【０００２】
特許文献１には、従来のＬＥＤ照明装置の一例が開示されている。同文献に開示されたＬＥＤ照明装置は、既存の蛍光灯用の器具本体に、ＬＥＤランプを取り付けることによって構成されている。ＬＥＤランプは、一対の口金と、口金とは別の給電部を有する。ＬＥＤランプが器具本体に取り付けられる際には、一対の口金が器具本体の一対のソケットに装着され、給電部が器具本体の接続部に接続される。口金とソケットとは、機械的に係合しているものの、電気的には接続されない。接続部には点灯装置が接続されており、接続部を介して点灯装置から給電部へと電力が供給される。
【先行技術文献】
【特許文献】
【０００３】
【特許文献１】特開２０１１−１９８６９５号公報
【発明の概要】
【発明が解決しようとする課題】
【０００４】
既存の器具本体のソケットは、経年劣化や蛍光灯の取替作業等において、損傷している可能性がある。また、ソケットの形状は、製造メーカーや製造時期等によって、異なる場合がある。取り付けの確実性を向上させる方策として、ＬＥＤランプに合わせてソケットを取り替えることが考えられるが、ＬＥＤ照明装置への変換作業が煩雑となる。
【０００５】
本発明は、上記した事情のもとで考え出されたものであって、ソケットを用いることなくＬＥＤランプを器具本体に取り付けることが可能なＬＥＤ照明装置を提供することをその課題とする。
【課題を解決するための手段】
【０００６】
本発明によって提供されるＬＥＤ照明装置は、ＬＥＤを有し、第１方向に長く延びるＬＥＤランプと、前記ＬＥＤランプが取り付けられた器具本体と、を備えるＬＥＤ照明装置であって、前記器具本体は、給電に用いられる器具側コネクタを有し、前記ＬＥＤランプは、前記第１方向両端の間に設定された第１ランプ側係合部と、前記ＬＥＤに電力供給するためのランプ側コネクタとを有し、前記第１ランプ側係合部に係合し、且つ前記器具本体に固定される、第１保持手段を備え、前記ランプ側コネクタと前記器具側コネクタとが接続されている。
【０００７】
本発明の好ましい実施の形態においては、前記第１保持手段は、前記第１ランプ側係合部と係合する第１保持係合部と、前記第１保持係合部から前記第１方向と直角である第２方向に延出する第１固定部と、前記第１固定部から前記第２方向に前記第１保持係合部とは反対側に延出する第２固定部と、前記第１固定部と前記第２固定部とを区画する第１切断予定部と、を有する。
【０００８】
本発明の好ましい実施の形態においては、前記第１保持手段に対して前記第１方向における前記ＬＥＤランプの端部側に配置され、磁力を利用して前記ＬＥＤランプを前記器具本体に固定する、磁力固定部を備える。
【０００９】
本発明の好ましい実施の形態においては、前記ＬＥＤランプは、前記第１方向に延びる溝部を有し、前記磁力固定部は、前記溝部に係合する爪部を有する。
【００１０】
本発明の好ましい実施の形態においては、前記ＬＥＤランプは、前記第１ランプ側係合部よりも前記第１方向両端側に設定された第２ランプ側係合部を有し、前記第２ランプ側係合部に係合し、且つ前記器具本体に固定される、第２保持手段を備える。
【００１１】
本発明の好ましい実施の形態においては、前記第２保持手段は、前記第２ランプ側係合部に係合する突起部を含む第２保持係合部を有する。
【００１２】
本発明の好ましい実施の形態においては、前記第２保持手段は、第３固定部と、前記第３固定部に対して前記第１方向外方に配置された第４固定部と、前記第３固定部と前記第４固定部とを区画する第２切断予定部と、を有する。
【発明の効果】
【００１３】
本発明によれば、ソケットを用いることなくＬＥＤランプを器具本体に取り付けることができる。
【００１４】
本発明のその他の特徴および利点は、添付図面を参照して以下に行う詳細な説明によって、より明らかとなろう。
【図面の簡単な説明】
【００１５】
【図１】本発明の第１実施形態に係るＬＥＤ照明装置を示す斜視図である。
【図２】本発明の第１実施形態に係るＬＥＤ照明装置を示す分解斜視図である。
【図３】本発明の第１実施形態に係るＬＥＤ照明装置を示す底面図である。
【図４】図３のＩＶ−ＩＶ線に沿う断面図である。
【図５】本発明の第１実施形態に係るＬＥＤ照明装置のＬＥＤランプを示す底面図である。
【図６】本発明の第１実施形態に係るＬＥＤ照明装置のＬＥＤランプを示す平面図である。
【図７】本発明の第１実施形態に係るＬＥＤ照明装置のＬＥＤランプを示す分解斜視図である。
【図８】図６のＶＩＩＩ−ＶＩＩＩ線に沿う断面図である。
【図９】図６のＩＸ−ＩＸ線に沿う断面図である。
【図１０】図６のＸ−Ｘ線に沿う要部断面図である。
【図１１】本発明の第１実施形態に係るＬＥＤ照明装置の第１保持手段の一例を示す斜視図である。
【図１２】本発明の第１実施形態に係るＬＥＤ照明装置の第１保持手段の他の例を示す斜視図である。
【図１３】本発明の第１実施形態に係るＬＥＤ照明装置の第１保持手段のさらに他の例を示す斜視図である。
【図１４】本発明の第１実施形態に係るＬＥＤ照明装置のコネクタを含む部位を示す要部斜視図である。
【図１５】本発明の第１実施形態に係るＬＥＤ照明装置のコネクタを含む部位を示す要部分解斜視図である。
【図１６】本発明の第１実施形態に係るＬＥＤ照明装置のコネクタケースおよび電源部を示す要部平面図である。
【図１７】本発明の第１実施形態に係るＬＥＤ照明装置のコネクタケースを示す斜視図である。
【図１８】本発明の第１実施形態に係るＬＥＤ照明装置のコネクタを含む部位の他の例を示す要部斜視図である。
【図１９】本発明の第２実施形態に係るＬＥＤ照明装置のＬＥＤランプを示す斜視図である。
【図２０】本発明の第２実施形態に係るＬＥＤ照明装置のコネクタおよび第２保持手段を含む部位を示す要部分解斜視図である。
【図２１】本発明の第２実施形態に係るＬＥＤ照明装置のコネクタおよび第２保持手段を含む部位を示す要部断面図である。
【図２２】本発明の第２実施形態に係るＬＥＤ照明装置の第２保持手段を示す斜視図である。
【図２３】本発明の第３実施形態に係るＬＥＤ照明装置のＬＥＤランプを示す要部分解斜視図である。
【図２４】本発明の第３実施形態に係るＬＥＤ照明装置のＬＥＤランプのエンドキャップを示す斜視図である。
【図２５】本発明の第４実施形態に係るＬＥＤ照明装置のＬＥＤランプを示す要部分解斜視図である。
【図２６】本発明の第４実施形態に係るＬＥＤ照明装置のＬＥＤランプを示す要部断面図である。
【発明を実施するための形態】
【００１６】
以下、本発明の好ましい実施の形態につき、図面を参照して具体的に説明する。
【００１７】
本開示における「第１」、「第２」、「第３」等の用語は、単にラベルとして用いたものであり、必ずしもそれらの対象物に順列を付することを意図していない。
【００１８】
＜第１実施形態＞
図１〜図１８は、本発明の第１実施形態に係るＬＥＤ照明装置を示している。本実施形態のＬＥＤ照明装置Ａ１は、器具本体１、ＬＥＤランプ２、第１保持手段６および磁力固定部８を備えている。ＬＥＤ照明装置Ａ１は、たとえば既存の蛍光灯のために設置されていた器具本体を流用した器具本体１に、ＬＥＤランプ２を取り付けることによって構成されている。
【００１９】
図１は、ＬＥＤ照明装置Ａ１を示す斜視図である。図２は、ＬＥＤ照明装置Ａ１を示す分解斜視図である。図３は、ＬＥＤ照明装置Ａ１を示す底面図である。図４は、図３のＩＶ−ＩＶ線に沿う断面図である。図５は、ＬＥＤ照明装置Ａ１のＬＥＤランプ２を示す底面図である。図６は、ＬＥＤ照明装置Ａ１のＬＥＤランプ２を示す平面図である。図７は、ＬＥＤ照明装置Ａ１のＬＥＤランプ２を示す分解斜視図である。図８は、図６のＶＩＩＩ−ＶＩＩＩ線に沿う断面図である。図９は、図６のＩＸ−ＩＸ線に沿う断面図である。図１０は、図６のＸ−Ｘ線に沿う要部断面図である。図１１は、ＬＥＤ照明装置Ａ１の第１保持手段６の一例を示す斜視図である。図１２は、ＬＥＤ照明装置Ａ１の第１保持手段６の他の例を示す斜視図である。図１３は、ＬＥＤ照明装置Ａ１の第１保持手段６のさらに他の例を示す斜視図である。図１４は、ＬＥＤ照明装置Ａ１のコネクタ２８を含む部位を示す要部斜視図である。図１５は、ＬＥＤ照明装置Ａ１のコネクタ２８を含む部位を示す要部分解斜視図である。図１６は、ＬＥＤ照明装置Ａ１のコネクタケース５および電源部２５を示す要部平面図である。図１７は、ＬＥＤ照明装置Ａ１のコネクタケース５を示す斜視図である。図１８は、ＬＥＤ照明装置Ａ１のコネクタ２８を含む部位の他の例を示す要部斜視図である。これらの図において、ｘ方向は、本発明の第１方向に相当する。ｙ方向は、ｘ方向と直角である方向であり、「幅方向」と称する場合がある。ｚ方向は、ｘ方向およびｙ方向と直角である方向であり、「上下方向」と称する場合がある。
【００２０】
〔器具本体１〕
器具本体１は、図１〜図４に示すように、ＬＥＤランプ２が取り付けられるものであり、たとえば、室内の天井面等に設置されている。本実施形態においては、器具本体１は、たとえば、既存の蛍光灯を取り付けるための器具本体から、蛍光灯用のソケットを取り除いたものを流用することが想定されている。器具本体１の具体的構成は特に限定されず、図示された例においては、ケース１１、一対の反射部１２および一対の反射部１３を有する。
【００２１】
ケース１１は、ＬＥＤランプ２を収容する浅い箱状の部材であり、たとえば金属板からなる。ケース１１は、たとえば底板部１１１、一対の側板部１１２および一対の端板部１１３を有する。底板部１１１は、ｘｙ平面に沿って広がっており、たとえばｘ方向を長手方向とする長矩形状である。一対の側板部１１２は、底板部１１１のｙ方向両端からｚ方向に延びている。一対の端板部１１３は、底板部１１１のｘ方向両端からｚ方向に延びている。
【００２２】
一対の反射部１２は、底板部１１１のｙ方向中央付近に設けられている。一対の反射部１２は、ｘ方向視において二等辺三角形の一対の斜辺をなす配置とされている。一対の反射部１３は、一対の側板部１１２の内側に設けられている。図示された例においては、器具本体１は、一対の反射部１２および一対の反射部１３に挟まれた２つの領域に、２つのＬＥＤランプ２を取付可能に構成されているが、器具本体１に取り付けられるＬＥＤランプ２の個数は特に限定されず、１つでもよいし、３つ以上でもよい。
【００２３】
〔ＬＥＤランプ２〕
ＬＥＤランプ２は、蛍光灯の代替品として用いられるものであり、図示された例においては、いわゆる直管形蛍光灯と類似の外観をなす。図１〜図１０および図１４〜図１７に示すように、本実施形態のＬＥＤランプ２は、ＬＥＤ基板２１、複数のＬＥＤ２２、放熱部材２４、電源部２５、ランプ側コネクタ２８１、カバー３、エンドキャップ４Ａ、エンドキャップ４Ｂおよびコネクタケース５を有する。
【００２４】
〔ＬＥＤ基板２１〕
ＬＥＤ基板２１は、ｘ方向に長く延びる帯状の基板であり、たとえばガラスエポキシ樹脂からなる基材と、当該基材上に形成された配線パターンとを有する。
【００２５】
〔複数のＬＥＤ２２〕
複数のＬＥＤ２２は、ＬＥＤランプ２の光源となるデバイスである。複数のＬＥＤ２２は、ＬＥＤ基板２１の片面に搭載されている。複数のＬＥＤ２２の配置形態は特に限定されず、ｘ方向に沿った１列または複数列の配置等、種々の配置形態が選択される。
【００２６】
ＬＥＤ２２は、ＬＥＤチップ（図示略）を含む。ＬＥＤ２２は、ＬＥＤチップ単体からなるものでも、ＬＥＤチップ以外の構成要素を含むものであってもよい。ＬＥＤ２２の構成例としては、たとえばＬＥＤチップが搭載されたモジュール基板またはリードと、ＬＥＤチップを覆う透光樹脂とを含む構成が挙げられる。ＬＥＤチップの発光色は特に限定されず、たとえば青色光を発する。また、透光樹脂は、たとえば透明な樹脂に蛍光材料が混入された材質によって形成される。この蛍光材料は、ＬＥＤチップからの青色光によって励起されることにより、黄色光を発する。このような構成により、ＬＥＤ２２は、白色光を発する構成とすることができる。
【００２７】
〔放熱部材２４〕
放熱部材２４は、図４、図７〜図１０に示すように、ＬＥＤ基板２１を支持するものであり、ＬＥＤ２２の点灯時に発する熱が伝達される部材である。放熱部材２４の材質は特に限定されず、たとえばアルミ等の金属が好ましい。本実施形態の放熱部材２４は、主板部２４１、一対の側板部２４２、一対の係合リブ２４３、一対の係合筒状部２４４および一対の係合リブ２４５を有する。このような放熱部材２４は、たとえばアルミの押出成形によって形成される。
【００２８】
主板部２４１は、ｘ方向を長手方向とし、ｙ方向を幅方向とする帯板状の部位である。主板部２４１の片面には、ＬＥＤ基板２１が取り付けられている。一対の側板部２４２は、主板部２４１のｙ方向両端に繋がっており、ｚ方向に延びている。一対の係合リブ２４３は、主板部２４１の片面に設けられており、各々がｘ方向に長く延びる溝形状をなしている。一対の係合リブ２４３には、ＬＥＤ基板２１のｙ方向両端が収容される。一対の係合筒状部２４４は、一対の側板部２４２に設けられており、ｘ方向に長く延びる略円筒形状である。一対の係合筒状部２４４は、たとえばエンドキャップ４Ａおよびエンドキャップ４Ｂの所定箇所と係合するための部位である。一対の係合リブ２４５は、一対の側板部２４２のｘ方向端部に設けられている。一対の係合リブ２４５は、ｘ方向に長く延び、ｙ方向外方に開いた溝形状をなしている。
【００２９】
〔電源部２５〕
電源部２５は、複数のＬＥＤ２２を点灯させるための電力を供給するものである。たとえば、電源部２５は、商用の交流電力を、ＬＥＤ２２の点灯に適した直流電力に変換する。本実施形態においては、図７および図１０に示すように、電源部２５は、電源基板２５１、電源部品および絶縁ケース２５３を有する。図示された例においては、電源部２５は、放熱部材２４に対してＬＥＤ基板２１とは反対側の位置に設けられている。
【００３０】
電源基板２５１は、たとえばガラスエポキシ樹脂からなる基材と、当該基材上に形成された配線パターン（図示略）とを有している。本実施形態においては、電源基板２５１は、ｘ方向を長手方向とし、ｙ方向を幅方向とし、ｚ方向を厚さ方向とする、長矩形状である。図１６に示すように、本実施形態においては、電源基板２５１は、一対の固定用凹部２５１１を有する。一対の固定用凹部２５１１は、電源基板２５１のｘ方向一端部付近に形成されており、電源基板２５１のｙ方向両側から内方に凹んでいる。
【００３１】
電源部品２５２は、電源部２５電力変換機能を実現する電気回路を構築するためのものである。電源部品２５２は、電源基板２５１に実装されており、その個数や種類は特に限定されない。電源基板２５１を例示すると、たとえばトランス、コンデンサ、ダイオード、抵抗器等である。
【００３２】
絶縁ケース２５３は、たとえばプラスチック等の絶縁材料からなり、電源基板２５１および電源部品２５２を収容している。本実施形態においては、絶縁ケース２５３は、ｘ方向視に長く延びる角筒形状である。
【００３３】
〔ランプ側コネクタ２８１〕
ランプ側コネクタ２８１は、図７、図１０、図１４および図１５に示すように、配線２８３を介して電源部２５に接続されている。ランプ側コネクタ２８１は、外部から供給された電力を電源部２５に導入するためのものである。本実施形態においては、ランプ側コネクタ２８１は、図示された器具側コネクタ２８２と接続されることにより、コネクタ２８をなす。ランプ側コネクタ２８１は、配線２８４を介して器具本体１側に設けられている。配線２８４は、たとえば、装置外の商用１００Ｖ交流電源に接続される。
【００３４】
コネクタ２８は、ｘ方向に長く延びる形状である。器具側コネクタ２８２は、ランプ側コネクタ２８１に対してｘ方向において電源部２５とは反対側から、ランプ側コネクタ２８１に接続される。図示された例においては、器具側コネクタ２８２は、凸部２８２１を有する。凸部２８２１は、ランプ側コネクタ２８１との接続においてランプ側コネクタ２８１の所定箇所と係合する部位である。凸部２８２１は、図１０および図１５におけるｚ方向図中上方に突出している。また、コネクタ２８のｚ方向図中下端部は、比較的平坦な部位とされている。
【００３５】
〔コネクタケース５〕
コネクタケース５は、コネクタ２８を収容するためのものである。本実施形態に於いては、コネクタケース５は、図７、図１０、図１４〜図１７に示すように、収容部５１、第１リブ５２、一対の第２リブ５３、一対の基板固定部５４および一対の基板受け部５４１を有する。コネクタケース５は、たとえばプラスチック等からなる。
【００３６】
収容部５１は、コネクタ２８を収容する部位であり、ｘ方向に長く延びる箱状の部位である。収容部５１は、コネクタ２８のｚ方向下端の平坦な部分を受ける、平坦な底部を有する形状である。
【００３７】
第１リブ５２は、収容部５１のｘ方向一端側に設けられており、収容部５１の底部からｚ方向に起立している。図１０に示すように、第１リブ５２は、傾斜面５２１を有する。傾斜面５２１は、ｚ方向において第１リブ５２の先端に向かうほど、ｘ方向において電源部２５に近づくように傾斜している。
【００３８】
一対の第２リブ５３は、図１７に示すように、収容部５１のｚ方向下端からコネクタ２８が収容される位置とは反対側に突出している。一対の第２リブ５３は、各々がｘ方向に沿って長く延びており、収容部５１のｙ方向両端付近において互いに平行に設けられている。図７に示すように、コネクタケース５は、放熱部材２４の主板部２４１の片面に沿うように配置される。このような配置においては、主板部２４１と一対の第２リブ５３と収容部５１との間に、ｘ方向視において矩形状の空間が設けられる。この空間は、たとえば、ＬＥＤ基板２１や電源部２５に繋がる配線（図示略）を挿通させるために用いることができる。また、少なくとも収容部５１の反対側に配される複数のＬＥＤ２２から発生した熱を、当該空間を通じて放熱することが可能である。
【００３９】
一対の基板固定部５４は、ｘ方向に突出しており、先端が鈎形状の係合部位をなしている。図１６に示すように、一対の基板固定部５４は、電源部２５の電源基板２５１の一対の固定用凹部２５１１に係合する。これにより、電源基板２５１とコネクタケース５とを互いに固定することができ、組み立て性の向上に貢献可能である。
【００４０】
一対の基板受け部５４１は、図１７に示すように、一対の基板固定部５４のｚ方向下端に繋がっており、ｚ方向に直角である板形状の部位である。一対の基板受け部５４１は、一対の基板固定部５４と係合した電源基板２５１をｚ方向において支持するための部位である。
【００４１】
また、本実施形態においては、図１０、図１４および図１５に示すように、コネクタ２８（配線２８３）は、コネクタケース５に対して配線固定部材５７を用いて固定されている。配線固定部材５７は、たとえばプラスチック等からなる部材であり、図示された例においては、本体部５７１、第３リブ５７２、第４リブ５７３、一対の係合部５７４および一対の係合部５７５を有する。
【００４２】
本体部５７１は、配線固定部材５７の土台をなす部位であり、コネクタ２８がコネクタケース５に収容された状態で、配線２８３をｚ方向上方から覆うものである。第３リブ５７２は、本体部５７１に設けられた凹みの底部をなしている。図１０に示すように、第３リブ５７２は、本体部５７１からｚ方向図中下方に延びており、コネクタケース５の第１リブ５２と対向する配置である。図示された例においては、第３リブ５７２は、ｘ方向において第１リブ５２よりもランプ側コネクタ２８１寄りに配置されている。第３リブ５７２は、傾斜面５７２１を有する。傾斜面５７２１は、ｚ方向において第３リブ５７２の先端に向かうほどｘ方向においてランプ側コネクタ２８１側に位置するように傾斜している。
【００４３】
第４リブ５７３は、本体部５７１からｚ方向図中下方に延びており、コネクタケース５の第１リブ５２と対向する配置である。図示された例においては、第４リブ５７３は、ｘ方向において第１リブ５２を挟んで第３リブ５７２とは反対側（電源部２５側）に配置されている。第４リブ５７３は、傾斜面５７３１を有する。傾斜面５７３１は、ｚ方向において第４リブ５７３の先端に向かうほどｘ方向において電源部２５側に位置するように傾斜している。
【００４４】
図１０に示すように、本実施形態においては、配線２８３は、コネクタケース５の第１リブ５２と配線固定部材５７の第３リブ５７２および第４リブ５７３とによって挟まれている。これにより、配線２８３がコネクタケース５および配線固定部材５７に対して固定されており、コネクタ２８をより確実に固定することができる。第１リブ５２の傾斜面５２１と第３リブ５７２の傾斜面５７２１および第４リブ５７３の傾斜面５７３１とが設けられていることにより、第１リブ５２、第３リブ５７２および第４リブ５７３が配線２８３に対してより喰い込んだ形態を実現することが可能であり、配線２８３のｘ方向におけるずれを抑制するのに好ましい。また、第１リブ５２の傾斜面５２１と第３リブ５７２の傾斜面５７２１および第４リブ５７３の傾斜面５７３１とが設けられていることにより、たとえば配線２８３をｘ方向に沿って引っ張った際に、傾斜面５２１、傾斜面５７２１および傾斜面５７３１の先端部に配線２８３をより喰い込ませることが可能となる。なお、傾斜面５２１、傾斜面５７２１および傾斜面５７３１は、傾斜方向が上述の逆であってもよいし、傾斜面５７２１と傾斜面５７３１とが同じ向きに傾斜していてもよい。
【００４５】
一対の係合部５７４および一対の係合部５７５は、各々がｙ方向外方に突出している。一対の係合部５７４および一対の係合部５７５は、コネクタケース５の適所と係合することにより、配線固定部材５７をコネクタケース５に対して固定する機能を果たす。
【００４６】
また、図１８は、コネクタケース５を覆うコネクタカバー５８を有する例を示している。コネクタカバー５８は、コネクタ２８をコネクタケース５に収容した状態で、ｚ方向上方からコネクタ２８に覆いかぶせる部材である。コネクタカバー５８には、湾曲部２８４１を有する配線２８４を挿通させる挿通凹部５８１が設けられている。挿通凹部５８１は、ｘ方向に窪んでおり、後述のエンドキャップ４Ｂの開口部４２Ｂとともに、配線２８４の位置を規制する。これにより、配線２８４が乱雑となることを抑制し、配線２８４の収納性を高めることに貢献可能である。
【００４７】
〔カバー３〕
カバー３は、図１〜図１０に示すように、複数のＬＥＤ２２を覆っており、複数のＬＥＤ２２からの光を透過させる透光性を有する材質からなる。本実施形態においては、カバー３は、ｘ方向を軸方向とする筒状であり、ＬＥＤ基板２１、複数のＬＥＤ２２、放熱部材２４、電源部２５、コネクタ２８およびコネクタケース５を収容している。なお、本実施形態とは異なり、カバー３は、半筒状であってもよい。この場合、たとえばカバー３は、複数のＬＥＤ２２を覆いつつ、放熱部材２４のｚ方向片側を露出させてもよい。カバー３の材質は特に限定されず、ＬＥＤ２２からの光を透過させる透明または半透明の樹脂等からなる。本実施形態においては、カバー３は、半透明の乳白色の樹脂からなる。
【００４８】
本実施形態のカバー３は、ドーム部３１、一対の側部３２、天部３３、一対の内リブ３４および一対の溝部３５を有する。
【００４９】
ドーム部３１は、ｘ方向視においてｚ方向下方に膨出するドーム形状の部分である。ドーム部３１は、複数のＬＥＤ２２をｚ方向下方から覆っている。一対の側部３２は、ドーム部３１のｙ方向両端に繋がっており、ｚ方向に沿った部位である。天部３３は、一対の側部３２のｚ方向上端同士を繋いでおり、ｘ方向に長く延びる帯状の部位である。天部３３には、係合孔３３１が設けられている。係合孔３３１は、本発明における第１ランプ側係合部に相当する。係合孔３３１は、ＬＥＤランプ２のｘ方向略中央に設けられており、天部３３をｚ方向に貫通する孔である。なお、本発明の第１ランプ側係合部としては、係合孔３３１の形態に限定されず、後述の第１保持手段６を係合可能な構成であればよい。
【００５０】
一対の内リブ３４は、一対の側部３２からｙ方向内方に突出しており、ｘ方向に長く延びている。一対の内リブ３４は、放熱部材２４の一対の係合リブ２４５と係合する。これにより、放熱部材２４のカバー３に対するｙ方向およびｚ方向の位置が決定される。一対の溝部３５は、天部３３のｚ方向上面に設けられており、各々がｘ方向に長く延びている。一対の溝部３５は、ｙ方向内方に開いた溝状の部位である。
【００５１】
〔エンドキャップ４Ａ〕
エンドキャップ４Ａは、図２および図５〜図７に示すように、カバー３および放熱部材２４のｘ方向一端に設けられており、カバー３をｘ方向一方側から塞いでいる。エンドキャップ４Ａは、たとえばプラスチック等からなる。本実施形態においては、エンドキャップ４Ａは、コネクタ２８とは反対側のカバー３の端部に配置されている。なお、エンドキャップ４Ａの放熱部材２４に対する固定は、後述のエンドキャップ４Ｂの固定方法と同様である。
【００５２】
〔エンドキャップ４Ｂ〕
エンドキャップ４Ｂは、図２、図５〜図７、図１０、図１４および図１５に示すように、カバー３および放熱部材２４のｘ方向他端に設けられており、カバー３をｘ方向他方側から塞いでいる。本実施形態のエンドキャップ４Ｂは、一対の固定孔４１Ｂおよび開口部４２Ｂを有する。一対の固定孔４１Ｂは、エンドキャップ４Ｂをｘ方向に貫通しており、ｙ方向に互いに離間している。固定孔４１Ｂには、固定ねじ４９が挿通される。固定ねじ４９は、放熱部材２４の係合筒状部２４４に螺合される。これにより、エンドキャップ４Ｂが放熱部材２４に対して固定される。
【００５３】
開口部４２Ｂは、エンドキャップ４Ｂのｚ方向上方部分において、ｚ方向下方に凹んだ部位である。図１０、図１４および図１５に示すように、本実施形態においては、コネクタ２８の器具側コネクタ２８２とエンドキャップ４Ｂとの間に、配線収容部５５が設定されている。配線収容部５５は、器具側コネクタ２８２に接続された配線２８４が、器具本体１へと向かうために形成された湾曲部２８４１を収容するための部位である。なお、湾曲部２８４１は、湾曲部２８４１の仕様等から許容される曲げ半径に設定されている。また、エンドキャップ４Ｂに開口部４２Ｂが設けられていることにより、より大きな曲げ半径の湾曲部２８４１を配置することができる。
【００５４】
〔第１保持手段６〕
第１保持手段６は、ＬＥＤランプ２と係合するとともに、器具本体１に固定されるものである。第１保持手段６の具体的構成は特に限定されず、図示された例においては、図２、図４、図６〜図８および図１１に示すように、第１係合部６１および第１固定部６２を有する。
【００５５】
第１係合部６１は、ＬＥＤランプ２（カバー３）の第１ランプ側係合部である係合孔３３１と係合する部位である。図示された例においては、第１係合部６１は、基部６１１および第１係合片６１２を有する。基部６１１は、たとえば円形状の部位である。第１係合片６１２は、基部６１１からｚ方向に突出しており、ｚ方向視において楕円形状等の細長い形状である。図４および図８に示すように、第１保持手段６は、第１係合片６１２が係合孔３３１に挿通された後に、第１係合片６１２がｙ方向に沿う姿勢とされる。これにより、第１係合片６１２が係合孔３３１と係合し、第１保持手段６がカバー３（ＬＥＤランプ２）に係合する。
【００５６】
第１固定部６２は、第１係合部６１（基部６１１）から延出しており、器具本体１に対して固定される部位である。図４および図８に示すように、第１係合部６１は、ｙ方向に沿った姿勢で、器具本体１に固定されている。第１固定部６２には、固定孔６２１が設けられている。固定孔６２１は、第１固定部６２をｚ方向に貫通している。たとえば、固定孔６２１に挿通された固定ねじ６９が器具本体１に螺合することにより、第１保持手段６が器具本体１に固定される。
【００５７】
上記の図に示された第１保持手段６は、ｙ方向の片側のみに延びる第１固定部６２を有する。このような構成は、たとえば図４においてＬＥＤランプ２と反射部１２との距離が相対的に短く、ＬＥＤランプ２と反射部１３との距離が相対的に長い場合に、反射部１３側のみに第１固定部６２を配置することが可能であり、第１保持手段６と器具本体１との干渉を回避することができる。
【００５８】
図１２は、第１保持手段６の他の例を示している。本例の第１保持手段６は、第１係合部６１および第１固定部６２に加えて第２固定部６３および切断予定部６４を有する。第２固定部６３は、第１固定部６２に対して第１係合部６１とは反対側に繋がっている。第２固定部６３は、固定孔６３１を有する。固定孔６３１は、固定孔６２１と同様に、固定ねじ６９によって第１保持手段６を器具本体１に固定するために用いられる。切断予定部６４は、第１固定部６２と第２固定部６３とを区画しており、他の部位と比べて容易に切断することを可能とする部位である。図示された例においては、切断予定部６４は、溝部によって構成されている。これ以外に、切断予定部６４としては、スリットやミシン目部位等によって適宜構成される。
【００５９】
本例の第１保持手段６は、図４に示す構成よりも、より広い領域が確保可能である場合に、第１固定部６２および第２固定部６３のいずれかもしくは双方によって第１保持手段６を器具本体１に固定するという使用形態が可能である。また、図４に示すように、狭い領域に本例の第１保持手段６を適用する場合、切断予定部６４に沿って第１保持手段６を切断することにより、第２固定部６３を除去し、第１固定部６２のみを残存させることができる。
【００６０】
図１３は、第１保持手段６のさらに他の例を示している。本例の第１保持手段６は、一対の第１固定部６２、一対の第２固定部６３および一対の切断予定部６４を有する。一対の第１固定部６２は、ｙ方向において互いに反対側に延出しており、一対の第２固定部６３は、ｙ方向において互いに反対側に延出している。本例によれば、より広い領域が確保可能である場合に、一対の第１固定部６２および一対の第２固定部６３を用いて、第１保持手段６をｙ方向両側において器具本体１により確実に固定することが可能である。また、切断予定部６４をはじめとする各所を適宜切断することにより、図１３や図１１に示す第１保持手段６へと変形させることができる。なお、図１２に示した第１保持手段６および図１３に示した第１保持手段６において、切断予定部６４は、一方の面のみに設けられた溝部によって構成された例を示したが、これに限定されない。切断予定部６４は、両面に設けられた一対の溝部に構成されてもよいし、いずれか一方の面にのみ溝部が設けられていてもよい。これらの構成であっても、施工時に切断しやすくすることが可能である。
【００６１】
〔磁力固定部８〕
磁力固定部８は、磁力を利用してＬＥＤランプ２を器具本体１に固定するためのものである。本実施形態においては、第１保持手段６を備えることから、磁力固定部８は、ＬＥＤランプ２を一時的に器具本体１に固定するといった用途に用いられる。図６、図７、図９および図１０に示すように、ＬＥＤ照明装置Ａ１は、一対の磁力固定部８を備えている。一対の磁力固定部８は、ｘ方向において第１保持手段６を挟んで両側に配置されており、特にカバー３のｘ方向両端付近に配置されている。なお、磁力固定部８の個数や位置は特に限定されない。
【００６２】
本実施形態の磁力固定部８は、マグネットケース８１およびマグネット８２を有する。マグネットケース８１は、マグネット８２を保持し、ＬＥＤランプ２（カバー３）に対して固定するためのものである。マグネットケース８１は、たとえば金属またはプラスチック等からなる。図９に示すように、マグネットケース８１は、保持部８１１および一対の爪部８１２を有する。保持部８１１は、矩形枠状の部位であり、マグネット８２を保持する部位である。一対の爪部８１２は、保持部８１１からｙ方向両側に延出している。一対の爪部８１２は、カバー３の一対の溝部３５に係合する。一対の爪部８１２が一対の溝部３５に係合した状態で、マグネットケース８１は、カバー３に対してｘ方向にスライド可能である。なお、マグネットケース８１（磁力固定部８）をカバー３に対する所望の位置に配置した後は、たとえば熱溶着等の手法によって、マグネットケース８１の爪部８１２を溝部３５に対して固定してもよい。マグネット８２は、たとえばフェライト磁石であり、マグネットケース８１の保持部８１１に保持されている。
【００６３】
次に、ＬＥＤ照明装置Ａ１の作用について説明する。
【００６４】
本実施形態によれば、図２および図４に例示されるように、ＬＥＤランプ２を器具本体１に取り付けるには、ＬＥＤランプ２のカバー３に係合した第１保持手段６を器具本体１に固定すればよい。この固定方法を採用することにより、たとえば既存の器具本体に設けられていたソケットにＬＥＤランプ２を装着する必要がない。このため、既存の器具本体からソケットを取り除いた態様の器具本体１にＬＥＤランプ２を固定することができる。
【００６５】
また、ＬＥＤ照明装置Ａ１は、磁力固定部８を備えている。ＬＥＤランプ２を器具本体１に取り付ける際には、第１保持手段６による固定に先立ち、磁力固定部８を器具本体１に固定することにより、ＬＥＤランプ２を器具本体１に対して仮固定することができる。磁力固定部８による固定は磁力を利用しているため、器具本体１に対するＬＥＤランプ２の位置を適宜微調整することが可能である。したがって、ＬＥＤランプ２をより正確な位置に固定することができる。また、ＬＥＤランプ２を磁力固定部８によって仮固定した後に、第１保持手段６の固定を行うことにより、ＬＥＤランプ２から手を完全に離した状態で、第１保持手段６の固定作業を行うことができる。これは、作業の容易化や安全促進に好ましい。また、第１保持手段６による固定が完了した後も、磁力固定部８による固定を継続してもよい。この場合、たとえば、ＬＥＤランプ２の交換作業をする際に、第１保持手段６の固定ねじ６９を取り除いても、ＬＥＤランプ２が器具本体１から直ちに落下することを防止することができる。第１保持手段６を挟んでｘ方向両側に一対の磁力固定部８を配置することは、ＬＥＤランプ２をバランスよく仮固定するのに好ましい。
【００６６】
図１０に示すように、コネクタ２８は、コネクタケース５に収容されている。これにより、コネクタ２８の設置作業をより効率よく行うことができる。また器具側コネクタ２８２の凸部２８２１はｚ方向上方に突出しており、コネクタケース５の収容部５１側には突出していない。コネクタ２８のｚ方向下面が比較的平坦であることにより、収容部５１によってより安定してコネクタ２８を収容することができる。
【００６７】
図１９〜図２６は、本発明の他の実施形態を示している。なお、これらの図において、上記実施形態と同一または類似の要素には、上記実施形態と同一の符号を付している。
【００６８】
＜第２実施形態＞
図１９〜図２２は、本発明の第２実施形態に係るＬＥＤ照明装置のＬＥＤランプを示している。本実施形態のＬＥＤ照明装置Ａ２は、第２保持手段７を備える点が、上述した実施形態と異なっている。
【００６９】
図１９は、ＬＥＤ照明装置Ａ２のＬＥＤランプ２を示す斜視図である。図２０は、ＬＥＤ照明装置Ａ２のコネクタ２８および第２保持手段７を含む部位を示す要部分解斜視図である。図２１は、ＬＥＤ照明装置Ａ２のコネクタ２８および第２保持手段７を含む部位を示す要部断面図である。図２２は、ＬＥＤ照明装置Ａ２の第２保持手段７を示す斜視図である。
【００７０】
本実施形態のＬＥＤ照明装置Ａ２は、第２保持手段７を備えている。第２保持手段７は、ＬＥＤランプ２に係合するとともに、器具本体１に固定されるものである。図示された例においては、１つのＬＥＤランプ２について、２つの第２保持手段７が設けられているが、第２保持手段７の個数は何ら限定されない。また、図示された例においては、第２保持手段７に加えて上述した第１保持手段６が備えられているが、第１保持手段６を備えない構成であってもよい。第２保持手段７は、ＬＥＤランプ２のｘ方向端部に係合している。図示された例においては、第２保持手段７は、第２係合部７１、第３固定部７２、第４固定部７３および切断予定部７４を有する。
【００７１】
第２係合部７１は、ＬＥＤランプ２の第２ランプ側係合部と係合する部位である。本実施形態においては、第２ランプ側係合部は、エンドキャップ４Ｂ（４Ａ）の固定孔４１Ｂ（４１Ａ）によって構成されている。このような第２ランプ側係合部に対応して、第２係合部７１は、基部７１１および一対の突起部７１２を有する。基部７１１は、ｘ方向に対して直角である板状の部位であり、エンドキャップ４Ｂ（４Ａ）に対してｘ方向から対向する部位である。一対の突起部７１２は、基部７１１からｘ方向に突出している。一対の突起部７１２は、ｙ方向に互いに離間している。一対の突起部７１２は、エンドキャップ４Ｂ（４Ａ）の一対の固定孔４１Ｂ（４１Ａ）に嵌合する等によって係合する。
【００７２】
第３固定部７２は、器具本体１に対して固定される部位である。第３固定部７２は、基部７１１のｚ方向上端からｘ方向に延びる板状の部位である。第３固定部７２には、一対の固定孔７２１が設けられている。一対の固定孔７２１は、第２保持手段７を器具本体１に固定するための固定ねじ７９が挿通される。
【００７３】
また、図示された例においては、第３固定部７２には、開口部７２２が形成されている。開口部７２２は、第３固定部７２の一部がｘ方向に凹んだ部位である。開口部７２２が設けられることにより、図１９および図２０から理解されるように、第２保持手段７と配線２８４とが干渉することを抑制することができる。
【００７４】
第４固定部７３は、器具本体１に対して固定される部位である。第４固定部７３は、基部７１１のｚ方向上端からｘ方向において第４固定部７３とは反対側に延びる板状の部位である。第４固定部７３には、一対の固定孔７３１が設けられている。一対の固定孔７３１は、第２保持手段７を器具本体１に固定するための固定ねじ７９が挿通される。
【００７５】
切断予定部７４は、第３固定部７２と第４固定部７３とを区画しており、他の部位と比べて容易に切断することを可能とする部位である。図示された例においては、切断予定部７４は、スリットによって構成されている。これ以外に、切断予定部７４としては、溝部やミシン目部位等によって適宜構成される。
【００７６】
本実施形態によっても、既存の器具本体からソケットを取り除いた構成の器具本体１に、第２保持手段７によってＬＥＤランプ２を適切に取り付けることができる。また、本実施形態においても、磁力固定部８によってＬＥＤランプ２を器具本体１に仮固定することにより、ＬＥＤランプ２の取付作業をより容易に行うことができる。ＬＥＤランプ２のｘ方向両端に一対の第２保持手段７を設けることにより、より確実にＬＥＤランプ２を固定することができる。
【００７７】
第２保持手段７は、切断予定部７４で区画された第３固定部７２および第４固定部７３を有する。これにより、上述した第１保持手段６と同様に、設置領域に応じて切断予定部７４に沿って第２保持手段７を切断することにより、第３固定部７２または第４固定部７３のみを有する第２保持手段７を実現可能である。
【００７８】
＜第３実施形態＞
図２３および図２４は、本発明の第３実施形態に係るＬＥＤ照明装置のＬＥＤランプ２を示している。本実施形態のＬＥＤランプ２においては、主にエンドキャップ４Ａの構成が上述した実施形態と異なっている。
【００７９】
図２３は、本発明の第３実施形態に係るＬＥＤ照明装置のＬＥＤランプ２を示す要部分解斜視図である。図２４は、本発明の第３実施形態に係るＬＥＤ照明装置のＬＥＤランプ２のエンドキャップ４Ａを示す斜視図である。
【００８０】
本実施形態においては、エンドキャップ４Ａが、一対の固定孔４１Ａに加えて、起立部４３Ａ、開口部４４Ａ、一致のリブ４５Ａおよび一致の規制部４６Ａを有する。なお、エンドキャップ４Ｂの構成は、エンドキャップ４Ａと同様の構成であってもよいし、上述した実施形態のエンドキャップ４Ｂと同様の構成であってもよい。
【００８１】
起立部４３Ａは、ｚ方向上方に起立した部位である。起立部４３Ａは、カバー３からｚ方向上方に突出する部位となる。開口部４４Ａは、起立部４３Ａをｘ方向に貫通している。起立部４３Ａは、たとえば、器具本体１に設けられた保持部材が挿通されることにより、ＬＥＤランプ２の器具本体１に対する固定に利用可能な部位である。
【００８２】
一対のリブ４５Ａは、ｘ方向内方に突出しており、ｙ方向に互いに離間して設けられている。一対のリブ４５Ａは、エンドキャップ４Ａが放熱部材２４に取り付けられる際に、放熱部材２４の主板部２４１と当接する部位である。この当接により、エンドキャップ４Ａと放熱部材２４とのｘ方向における位置をより正確に設定することができるため、組み立て性の向上に貢献可能である。
【００８３】
一対の規制部４６Ａは、一対のリブ４５Ａのｚ方向下端に設けられている。一対の規制部４６Ａは、ｚ方向に直角である小片の板状部位である。一対の規制部４６Ａは、ｙ方向に互いに離間して配置されている。一対の規制部４６Ａは、ＬＥＤ基板２１のｘ方向端部に近接している。これにより、たとえばＬＥＤ基板２１から延びる配線（図示略）を一対の規制部４６Ａの間に通すことにより、当該配線がｙ方向やｚ方向に過度にふらつくことを規制することができる。これは、配線の保護等に好ましい。
【００８４】
本実施形態によれば、上述した第１保持手段６および第２保持手段７に加えて、あるいは第１保持手段６および第２保持手段７に代えて、エンドキャップ４Ａ（エンドキャップ４Ｂ）によって、ＬＥＤランプ２を器具本体１に取り付けることができる。
【００８５】
＜第４実施形態＞
【００８６】
図２５および図２６は、本発明の第４実施形態に係るＬＥＤ照明装置のＬＥＤランプ２を示している。本実施形態のＬＥＤランプ２においては、主にエンドキャップ４Ａの構成が上述した実施形態と異なっている。
【００８７】
図２５は、本発明の第４実施形態に係るＬＥＤ照明装置のＬＥＤランプ２を示す要部分解斜視図である。図２６は、本発明の第４実施形態に係るＬＥＤ照明装置のＬＥＤランプ２を示す要部断面図である。
【００８８】
本実施形態のエンドキャップ４Ａは、図２３および図２４に示す実施形態のエンドキャップ４Ａに加えて、延出部４７Ａおよび一対のリブ４８Ａを有する。なお、エンドキャップ４Ｂの構成は、エンドキャップ４Ａと同様の構成であってもよいし、上述した実施形態のエンドキャップ４Ｂと同様の構成であってもよい。
【００８９】
延出部４７Ａは、起立部４３Ａのうち開口部４４Ａよりもｚ方向上方の部分に繋がっており、ｘ方向に延出している。一対のリブ４８Ａは、延出部４７Ａのｚ方向下面に繋がっており、ｙ方向に互いに離間して設けられている。リブ４８Ａは、延出部４７Ａからｚ方向下方に延びる部分と、当該部分からｙ方向外方に延びる部分とを有する。
【００９０】
図２５に示すように、エンドキャップ４Ａを放熱部材２４に取り付けると同時に、一対のリブ４８Ａがカバー３の一対の溝部３５に進入する。これにより、一対のリブ４８Ａと一対の溝部３５とが係合し、エンドキャップ４Ａをより確実に取り付けることができる。
【００９１】
また、図２６に示すように、本実施形態においては、開口部４４Ａがｘ方向図中左方に開口しており、カバー３の天部３３と延出部４７Ａとに挟まれた空間がｘ方向図中右方に開口している。これにより、たとえば器具本体１に設けられた折り曲げ板等からなる保持部材１９の先端部分を、図中左方から開口部４４Ａに挿入する態様と、図中右方から天部３３と延出部４７Ａとの間の空間に挿入する態様と、のそれぞれを任意に実現することができる。これにより、器具本体１における保持部材１９の固定姿勢をより自由に設定可能であり、ＬＥＤランプ２をより多様な態様で固定することができる。
【００９２】
本発明に係るＬＥＤ照明装置は、上述した実施形態に限定されるものではない。本発明に係るＬＥＤ照明装置の各部の具体的な構成は、種々に設計変更自在である。
【００９３】
〔付記１〕
ＬＥＤを有し、第１方向に長く延びるＬＥＤランプと、
前記ＬＥＤランプが取り付けられた器具本体と、
を備えるＬＥＤ照明装置であって、
前記器具本体は、給電に用いられる器具側コネクタを有し、
前記ＬＥＤランプは、前記第１方向両端の間に設定された第１ランプ側係合部と、前記ＬＥＤに電力供給するためのランプ側コネクタとを有し、
前記第１ランプ側係合部に係合し、且つ前記器具本体に固定される、第１保持手段を備え、
前記ランプ側コネクタと前記器具側コネクタとが接続されている、ＬＥＤ照明装置。
〔付記２〕
前記第１保持手段は、
前記第１ランプ側係合部と係合する第１保持係合部と、
前記第１保持係合部から前記第１方向と直角である第２方向に延出する第１固定部と、
前記第１固定部から前記第２方向に前記第１保持係合部とは反対側に延出する第２固定部と、
前記第１固定部と前記第２固定部とを区画する第１切断予定部と、
を有する、付記１に記載のＬＥＤ照明装置。
〔付記３〕
前記第１保持手段に対して前記第１方向における前記ＬＥＤランプの端部側に配置され、磁力を利用して前記ＬＥＤランプを前記器具本体に固定する、磁力固定部を備える、付記１または２に記載のＬＥＤ照明装置。
〔付記４〕
前記ＬＥＤランプは、前記第１方向に延びる溝部を有し、
前記磁力固定部は、前記溝部に係合する爪部を有する、付記３に記載のＬＥＤ照明装置。
〔付記５〕
前記ＬＥＤランプは、前記第１ランプ側係合部よりも前記第１方向両端側に設定された第２ランプ側係合部を有し、
前記第２ランプ側係合部に係合し、且つ前記器具本体に固定される、第２保持手段を備える、付記１ないし４のいずれかに記載のＬＥＤ照明装置。
〔付記６〕
前記第２保持手段は、前記第２ランプ側係合部に係合する突起部を含む第２保持係合部を有する、付記５に記載のＬＥＤ照明装置。
〔付記７〕
前記第２保持手段は、
第３固定部と、前記第３固定部に対して前記第１方向外方に配置された第４固定部と、前記第３固定部と前記第４固定部とを区画する第２切断予定部と、を有する、付記５または６に記載のＬＥＤ照明装置。
〔付記８〕
前記第３固定部は、前記器具側コネクタに繋がる配線を挿通させるための開口部を有する、付記７に記載のＬＥＤ照明装置。
〔付記９〕
前記ＬＥＤランプは、前記第１方向端部に設けられたエンドキャップを有し、
前記器具側コネクタと前記エンドキャップとの間に、前記器具側コネクタに繋がる配線の湾曲部を収容する配線収容部が設定されている、付記１ないし８のいずれかに記載のＬＥＤ照明装置。
〔付記１０〕
前記ＬＥＤランプは、前記ランプ側コネクタおよび前記器具側コネクタを収容し、且つ前記第１方向を長手方向とする形状であるコネクタケースを有する、付記１ないし９のいずれかに記載のＬＥＤ照明装置。
〔付記１１〕
前記ＬＥＤランプは、前記コネクタケースに取り付けられ、且つ前記ランプ側コネクタに繋がる配線を固定する配線固定部材を有する、付記１０に記載のＬＥＤ照明装置。
【符号の説明】
【００９４】
Ａ１，Ａ２：ＬＥＤ照明装置
１        ：器具本体
２        ：ＬＥＤランプ
３        ：カバー
４Ａ，４Ｂ：エンドキャップ
５        ：コネクタケース
６        ：第１保持手段
７        ：第２保持手段
８        ：磁力固定部
１１      ：ケース
１２，１３：反射部
１９      ：保持部材
２１      ：ＬＥＤ基板
２２      ：ＬＥＤ
２４      ：放熱部材
２５      ：電源部
２８      ：コネクタ
３１      ：ドーム部
３２      ：側部
３３      ：天部
３４      ：内リブ
３５      ：溝部
４１Ａ，４１Ｂ：固定孔
４２Ｂ    ：開口部
４３Ａ    ：起立部
４４Ａ    ：開口部
４５Ａ    ：リブ
４６Ａ    ：規制部
４７Ａ    ：延出部
４８Ａ    ：リブ
４９      ：固定ねじ
５１      ：収容部
５２      ：第１リブ
５３      ：第２リブ
５４      ：基板固定部
５５      ：配線収容部
５７      ：配線固定部材
６１      ：第１係合部
６２      ：第１固定部
６３      ：第２固定部
６４      ：切断予定部
６９      ：固定ねじ
７１      ：第２係合部
７２      ：第３固定部
７３      ：第４固定部
７４      ：切断予定部
７９      ：固定ねじ
８１      ：マグネットケース
８２      ：マグネット
１００Ｖ  ：商用
１１１    ：底板部
１１２    ：側板部
１１３    ：端板部
２４１    ：主板部
２４２    ：側板部
２４３    ：係合リブ
２４４    ：係合筒状部
２４５    ：係合リブ
２５１    ：電源基板
２５２    ：電源部品
２５３    ：絶縁ケース
２８１    ：ランプ側コネクタ
２８２    ：器具側コネクタ
２８３，２８４：配線
３３１    ：係合孔
５２１    ：傾斜面
５４１    ：基板受け部
５７１    ：本体部
５７２    ：第３リブ
５７３    ：第４リブ
５７４，５７５：係合部
６１１    ：基部
６１２    ：第１係合片
６２１，６３１：固定孔
７１１    ：基部
７１２    ：突起部
７２１    ：固定孔
７２２    ：開口部
７３１    ：固定孔
８１１    ：保持部
８１２    ：爪部
２５１１  ：固定用凹部
２８２１  ：凸部
２８４１  ：湾曲部
５７２１，５７３１：傾斜面
【図１】
2020205138.tif 000003
【図２】
2020205138.tif 000004
【図３】
2020205138.tif 000005
【図４】
2020205138.tif 000006
【図５】
2020205138.tif 000007
【図６】
2020205138.tif 000008
【図７】
2020205138.tif 000009
【図８】
2020205138.tif 000010
【図９】
2020205138.tif 000011
【図１０】
2020205138.tif 000012
【図１１】
2020205138.tif 000013
【図１２】
2020205138.tif 000014
【図１３】
2020205138.tif 000015
【図１４】
2020205138.tif 000016
【図１５】
2020205138.tif 000017
【図１６】
2020205138.tif 000018
【図１７】
2020205138.tif 000019
【図１８】
2020205138.tif 000020
【図１９】
2020205138.tif 000021
【図２０】
2020205138.tif 000022
【図２１】
2020205138.tif 000023
【図２２】
2020205138.tif 000024
【図２３】
2020205138.tif 000025
【図２４】
2020205138.tif 000026
【図２５】
2020205138.tif 000027
【図２６】
2020205138.tif 000028